(57)【特許請求の範囲】
【請求項１】
内側層とその内側層の外周面に直接外側層を施している釣り竿用竿体であって、
前記内側層を、長手方向に沿って炭素繊維を引き揃えた細幅の内側プリプレグテープを、細幅方向の端部同士が密着する状態で竿軸線方向に沿って螺旋状に巻回して形成し、
前記外側層を、長手方向に沿って炭素繊維を引き揃えた細幅の外側プリプレグテープを、細幅方向の端部同士が密着する状態で竿軸線方向に沿って螺旋状に巻回して形成し、
前記内側プリプレグテープと前記外側プリプレグテープとを、それらプリプレグテープの炭素繊維が、径方向視において互いに交差するように、巻回してある釣り竿用竿体。
【請求項２】
内側層と中間層と外側層とを備えた釣り竿用竿体であって、
前記内側層を、長手方向に沿って炭素繊維を引き揃えた細幅の内側プリプレグテープを、竿先側に配置した口巻補強パターンに重ねて巻始めとし、かつ、細幅方向の端部同士が密着する状態で竿軸線方向に沿って螺旋状に巻回して形成し、
前記中間層を、竿体の長さに相当する長さを備え炭素繊維を軸芯方向に沿って引き揃え配置したプリプレグシートからなるメインパターンを巻回して形成し、
前記外側層を、長手方向に沿って炭素繊維を引き揃えた細幅の外側プリプレグテープを、細幅方向の端部同士が密着する状態で竿軸線方向に沿って螺旋状に巻回して形成し、
前記内側プリプレグテープと前記外側プリプレグテープとを、それらプリプレグテープの炭素繊維が、径方向視において互いに交差するように巻回してある釣り竿用竿体。
【請求項３】
請求項１又は２記載の釣り竿用竿体を備えた釣り竿。
【発明の詳細な説明】
【技術分野】
【０００１】
本発明は、プリプレグを巻回して形成した内側層とプリプレグを巻回して形成した外側層とを備えた釣り竿用竿体及び釣り竿に関する。
【背景技術】
【０００２】
この種の釣り竿用竿体において、内側層と外側層としては、プリプレグをテープ状に成形したものが使用されることがある。このプリプレグテープは、細幅の長尺状を呈しており、長手方向に沿って強化繊維が配向されている。
【０００３】
このプリプレグテープを使用して内側層や外側層を形成するには、プリプレグテープをマンドレルに竿軸線方向に沿って密着する状態で螺旋状に巻回することによって形成していた。
このようなプリプレグテープを使用するのは、竿体の全長に相当する広い幅を有しているプリプレグシートをマンドレルに巻回して形成する場合に比べて、幅が細いものであるので、マンドレルに巻回する際に空気等を巻き込み難く、巻回作業性が良好になるからである。
【先行技術文献】
【特許文献】
【０００４】
【特許文献１】特開２００８−２６３８１９号公報（段落番号〔００２６〕，〔００２７〕、図３，図５）
【発明の概要】
【発明が解決しようとする課題】
【０００５】
上記した理由によって内側層と外側層とにプリプレグテープを使用しているが、螺旋状に巻回される方向が共に同じ方向である。つまり、公報における図３及び図５に示すように、プリプレグテープの巻回方向は、穂先側から竿軸芯方向に沿って見た場合に、右ネジに沿った方向で、内外層ともに同じ方向に設定してある。
【０００６】
そうすると、プリプレグの強化繊維がプリプレグテープの右ネジに沿った方向と一致する方向となるので、同じ方向を向いて配設されていることとなり、右ネジに沿った方向の捩じり力を受けた場合には強化繊維が引張対抗力を発揮して捩じり剛性を十分なものとするが、左ネジに沿った方向の捩じり力を受けた場合には、強化繊維は引張対抗力を発揮することができず、捩じり剛性を低下させるものとなっていた。
【０００７】
本発明の目的は、プリプレグテープの配設方向に工夫を加えることによって、捩じり剛性等を高めた釣り竿用竿体を提供する点にある。
【課題を解決するための手段】
【０００８】
〔構成〕
請求項１に係る発明の特徴構成は、内側層とその内側層の外周面に直接外側層を施している釣り竿用竿体であって、
前記内側層を、長手方向に沿って炭素繊維を引き揃えた細幅の内側プリプレグテープを、細幅方向の端部同士が密着する状態で竿軸線方向に沿って螺旋状に巻回して形成し、
前記外側層を、長手方向に沿って炭素繊維を引き揃えた細幅の外側プリプレグテープを、細幅方向の端部同士が密着する状態で竿軸線方向に沿って螺旋状に巻回して形成し、
前記内側プリプレグテープと前記外側プリプレグテープとを、それらプリプレグテープの炭素繊維が、径方向視において互いに交差するように巻回してある点にあり、その作用効果は次の通りである。
【０００９】
〔作用効果〕
つまり、内側プリプレグテープと外側プリプレグテープとを、それらプリプレグテープの炭素繊維が、径方向視において互いに交差するように巻回してあるので、左右何れの方向からの捩じり力が作用しても、いずれかのプリプレグテープの炭素繊維をその捩じり力に対抗させることができ、捩じりに強い竿体とすることができた。
したがって、針掛かりした魚の横走りに対して釣り人は竿を横倒ししながら魚の動きに対応する際に、釣り竿を追従させながら魚を水面に浮かせる操作が容易になり、魚の動きを制御し易い釣り竿用竿体を提供することができた。
【００１０】
〔構成〕
請求項２に係る発明の特徴構成は、内側層と中間層と外側層とを備えた釣り竿用竿体であって、
前記内側層を、長手方向に沿って炭素繊維を引き揃えた細幅の内側プリプレグテープを、竿先側に配置した口巻補強パターンに重ねて巻始めとし、かつ、細幅方向の端部同士が密着する状態で竿軸線方向に沿って螺旋状に巻回して形成し、
前記中間層を、竿体の長さに相当する長さを備え炭素繊維を軸芯方向に沿って引き揃え配置したプリプレグシートからなるメインパターンを巻回して形成し、
前記外側層を、長手方向に沿って炭素繊維を引き揃えた細幅の外側プリプレグテープを、細幅方向の端部同士が密着する状態で竿軸線方向に沿って螺旋状に巻回して形成し、
前記内側プリプレグテープと前記外側プリプレグテープとを、それらプリプレグテープの炭素繊維が、径方向視において互いに交差するように巻回してある点にあり、その作用効果は次の通りである。
【００１１】
〔作用効果〕
つまり、内側プリプレグテープと外側プリプレグテープとを、それらプリプレグテープの炭素繊維が、径方向視において互いに交差するように巻回してあるので、左右何れの方向からの捩じり力が作用しても、いずれかのプリプレグテープの炭素繊維をその捩じり力に対抗させることができ、捩じりに強い竿体とすることができた。
【００１２】
したがって、針掛かりした魚の横走りに対して釣り人は竿を横倒ししながら魚の動きに対応する際に、釣り竿を追従させながら魚を水面に浮かせる操作が容易になり、魚の動きを制御し易い釣り竿用竿体を提供することができた。
【００１３】
しかも、細幅のプリプレグテープを螺旋状に巻回して形成してある内側層と、同じく細幅のプリプレグテープを螺旋状に巻回して形成してある外側層との間に中間層を設け、この中間層が竿体の長さに相当する長さを備えているプリプレグシートであるので、細幅のプリプレグテープが中間層のプリプレグシートによって連結結合されて、内側層及び外側層自体の結合力を強化すると同時に、内側層と中間層との結合力、及び、中間層と外側層と結合力を高めることができる。これによって、内側層及び外側層内で剥離や、内側層と中間層との間の層間剥離、中間層と外側層との間の層間剥離を抑制できて、損傷の起こり難い釣り竿を提供できるに至った。
また、魚が針掛かりした場合に、竿体は竿先側を下向きにした曲がりを生ずる。その場合に、竿体の竿軸線より上側の断面には引張力が作用する。中間層において、竿軸線方向に沿った炭素繊維が引き揃え配置されているので、竿体を曲げる力に対する対抗力が高い。つまり、曲げ剛性の高い竿体を提供することができた。
【００１４】
〔構成〕
請求項３に係る発明の特徴構成は、請求項１又は２記載の釣り竿
用竿体を備えた釣り竿に構成している点にあり、その作用効果は次の通りである。
【００１５】
〔作用効果〕
上記したような捩じり剛性及び曲げ剛性の高い竿体を適宜組み合わせることによって、全体として、魚の横走り等があっても竿をためながら魚の動きを抑えて水面まで魚を浮かせることが容易に行える。
そして、魚の引きがあって穂先竿や二番竿が水面下に曲がり切った状態でも、元竿を握った手を振り上げることによって、釣り竿がそれに呼応して自身の弾性復帰力を発揮して上下向き姿勢に迅速に振り上がってくる。このことによって、魚を引き上げる力が強い釣り竿を提供することができた。
【図面の簡単な説明】
【００１６】
【図１】釣り竿の全体側面図である。
【図２】（ａ）内側プリプレグテープを巻回する状態を示す斜視図、（ｂ）内側プリプレグテープの上から外側プリプレグテープを巻回する状態を示す斜視図である。
【図３】（ａ）第１口巻き補強パターンを巻回する前の状態を示す斜視図、（ｂ）内側プリプレグテープを巻回する状態を示す斜視図、（ｃ）プリプレグシート（メインパターン）を巻回する前の状態を示す斜視図、（ｄ）外側プリプレグテープを巻回する前の状態を示す斜視図である。
【図４】（ａ）第２口巻き補強パターンを巻回する前の状態を示す斜視図、（ｂ）第１内側プリプレグテープを巻回する状態を示す斜視図、（ｃ）第２内側プリプレグテープを第１内側プリプレグテープに交差するように巻回する状態を示す斜視図である。
【図５】（ｄ）プリプレグシート（第１メインパターン）及びプリプレグシート（第２メインパターン）を巻回する前の状態を示す斜視図、（ｅ）第１外側プリプレグテープを巻回する状態を示す斜視図、（ｆ）第２外側プリプレグテープを第１外側プリプレグテープに交差するように巻回する状態を示す斜視図である。
【発明を実施するための形態】
【００１７】
〔第１実施形態〕
鮎竿や渓流竿等で代表される釣り竿Ａは、図１に示すように、釣り竿用竿体Ｂとしての釣り糸ａを連結した穂先竿１、二番竿２、三番竿３、元上４、握り部５Ａを備えた元竿５で構成されている。
【００１８】
竿体Ｂの製作工程について説明する。
この第１実施形態では、穂先竿１から二番竿２等の比較的小径の竿体Ｂに適用されるものの構成について説明する。
内側層Ａａについて説明する。図２（ａ）に示すように、長手方向に沿って引き揃えた炭素繊維等の強化繊維ｃに、マトリックス樹脂としてのエポキシ樹脂等の熱硬化性樹脂を含浸させて細幅の内側プリプレグテープ８を形成する。その内側プリプレグテープ８を、マンドレル６に対して竿軸線方向に沿って螺旋状に巻回する。螺旋状に巻回する状態は、マンドレル６に巻回されたその内側プリプレグテープ８の隣接する部分同士の側端が接触する密着状態である。このように、内側プリプレグテープ８を螺旋状に巻回することによって内側層Ａａを形成する。
【００１９】
外側層Ａｃについて説明する。図２（ｂ）に示すように、長手方向に沿って引き揃えた炭素繊維等の強化繊維ｃに、マトリックス樹脂としてのエポキシ樹脂等の熱硬化性樹脂を含浸させて細幅の外側プリプレグテープ９を形成する。その外側プリプレグテープ９を内側層Ａａの上から竿軸線方向に沿って螺旋状に巻回する。螺旋状に巻回する状態は、その外側プリプレグテープ９の隣接する部分同士の側端が接触する密着状態である。このように、外側プリプレグテープ９を螺旋状に巻回することによって外側層Ａｃを形成してある。
【００２０】
図２（ｂ）に示すように、内側層Ａａの内側プリプレグテープ８と外側層Ａｃの外側プリプレグテープ９は、径方向視において、互いに交差する状態で巻回されている。このことによって、各プリプレグテープ８，９の長手方向に沿って配置されている強化繊維ｃも、径方向視で互いに交差する状態で巻回されている。
交差する角度は、１０度から７５度の範囲にあればよく、望ましくは２０度から６０度である。
【００２１】
このように、内側プリプレグテープ８と外側プリプレグテープ９とを、径方向視で交差する状態に配置することによって、請求項１に係る発明に対応した作用効果の項で記載したように、捩じりモーメント等に対する強度を確保することができる。
【００２２】
強化繊維ｃとしては、炭素繊維以外にガラス繊維及びボロン繊維等が使用でき、熱硬化性樹脂としてはフェノール樹脂等が使用可能である。含浸させる樹脂としては、熱可塑性樹脂も使用できる。また、それらプリプレグの強化繊維ｃとしては、炭素繊維でメインパターンに２０〜６０トン／ｍｍ2の引張弾性率のものを使用することになる。
【００２３】
〔第１実施形態の別実施形態〕
この第１実施形態において、図示してはいないが、内側プリプレグテープ８をマンドレル６に巻回する前に、予め、プリプレグシート製のメインパターンを巻回し、そのメインパターンの上から内側プリプレグテープ８を巻回する構成を採ってもよい。ここに、メインパターンとは、プリプレグシートを、竿体Ｂの長さに相当する長さとマンドレル６の周長（数周長）に相当する幅とを有するものに裁断したものである。
【００２４】
〔第２実施形態〕
竿体Ｂの製作工程について説明する。三番竿３から元竿５等の比較的大径の竿体Ｂに適した実施形態について説明する。
図３（ａ）に示すように、マンドレル６に対して第１口巻補強パターン７を施してある。第１口巻補強パターン７は、竿軸線Ｘに対して第１傾斜角θ1だけ傾斜させて引き揃えた炭素繊維等の強化繊維ｃに対して、マトリックス樹脂としてのエポキシ樹脂等の熱硬化性樹脂を含浸させて形成した上側プリプレグ７Ａと、強化繊維ｃの引き揃え向きを、上側プリプレグ７Ａの強化繊維ｃと竿軸線Ｘを挟んで対称に配置して形成した下側プリプレグ７Ａとを重ね合わせたバイアス式重合体である。
【００２５】
内側層Ａａについて説明する。図３（ｂ）に示すように、長手方向に沿って引き揃えた炭素繊維等の強化繊維ｃに、マトリックス樹脂としてのエポキシ樹脂等の熱硬化性樹脂を含浸させて細幅の内側プリプレグテープ１３を形成する。その内側プリプレグテープ１３を、第１口巻補強パターン７を施したマンドレル６に対して、竿軸線方向に沿って螺旋状に巻回する。螺旋状に巻回する状態は、マンドレル６に巻回された内側プリプレグテープ１３の隣接する部分同士の側端が接触する密着状態である。このように、内側プリプレグテープ１３を螺旋状に巻回することによって内側層Ａａを形成してある。
【００２６】
中間層Ａｂについて説明する。図３（ｃ）に示すように、メインパターン１１は、竿軸線Ｘに沿って引き揃えた強化繊維ｃに熱硬化性樹脂を含浸させたプリプレグシートを、竿体Ｂの長さに相当する長さＬ１とマンドレル６の周長（数周長）に相当する幅Ｌ２を備えた所定形状に裁断したものである。メインパターン１１をマンドレル６に巻回することによって、中間層Ａｂを構成する。
【００２７】
外側層Ａｃについて説明する。図３（ｄ）に示すように、長手方向に沿って引き揃えた炭素繊維等の強化繊維ｃに、マトリックス樹脂としてのエポキシ樹脂等の熱硬化性樹脂を含浸させて形成した細幅の外側プリプレグテープ１４を形成する。この外側プリプレグテープ１４を、中間層Ａｂの上から竿軸線方向に沿って螺旋状に巻回する。螺旋状に巻回する状態は、中間層Ａｂに巻回された外側プリプレグテープ１４の隣接する部分同士の側端が接触する密着状態である。このように、外側プリプレグテープ１４を螺旋状に巻回することによって外側層Ａｃを形成してある。
【００２８】
内側層Ａａの内側プリプレグテープ１３と外側層Ａｃの外側プリプレグテープ１４は、径方向視において、互いに交差する状態で巻回されており、各プリプレグテープ１３，１４の長手方向に沿って配置されている強化繊維ｃについても、径方向視で互いに交差する状態で巻回されている。
交差する角度は、１０度から７５度の範囲にあればよく、望ましくは２０度から６０度である。捩じりモーメントに対する強度を確保するためである。
【００２９】
外側プリプレグテープ１４を巻回した後に、第１竿尻補強パターン１０を巻回する。第１竿尻補強パターン１０は、上側プリプレグ１０Ａと下側プリプレグ１０Ａとを重ね合わせたバイアス式重合体である。上側プリプレグ１０Ａは、竿軸線Ｘに対して第２傾斜角θ2だけ傾斜させて引き揃えた炭素繊維等の強化繊維ｃに対してエポキシ等の熱硬化性樹脂を含浸させて形成したものである。下側プリプレグ１０Ａは、強化繊維ｃの引き揃え向きを、上側プリプレグ１０Ａの強化繊維ｃに対して竿軸線Ｘを挟んで対称に配置したものである。
【００３０】
このように、バイアス式の第１竿尻補強パターン１０を施すことによって、元上１０の竿尻側端部の外周面を元竿５の竿先側端部の内周面に圧接させて振出竿を伸長状態に保持した場合に、強化繊維ｃを竿軸線Ｘを挟んで対称に配置しているので、それらの強化繊維ｃが竿軸線Ｘに沿った荷重、及び、竿軸線Ｘに直交する荷重のみならず、竿軸線Ｘに傾斜する荷重に対しても対抗力を発揮し、合わせ部位での対剪断力を強化する。
【００３１】
強化繊維ｃとしては、炭素繊維以外にガラス繊維及びボロン繊維等が使用でき、熱硬化性樹脂としてはフェノール樹脂等が使用可能である。含浸させる樹脂としては、熱可塑性樹脂も使用できる。また、それらプリプレグの強化繊維ｃとしては、炭素繊維でメインパターンに２０〜６０トン／ｍｍ2の引張弾性率のもの、補強パターンに１０〜４０トン／ｍｍ2の引張弾性率のものを使用することになる。
【００３２】
〔第２実施形態の別実施形態〕
メインパターン１１としては、強化繊維ｃを周方向に引き揃え配置したプリプレグを使用してもよい。
【００３３】
〔第３実施形態〕
次に、三番竿３から元竿５に対応した大径の竿体Ｂについて説明する。
図４（ａ）に示すように、マンドレル６に第２口巻き補強パターン１２を施す。第２口巻き補強パターン１２は、上側プリプレグ１２Ａと下側プリプレグ１２Ａを重ね合わせたバイアス式の補強プリプレグである。プリプレグに使用される強化繊維ｃの向きが、竿軸線Ｘに対して傾斜する傾斜角θ3に設定されている。
第２口巻き補強パターン１２は、プリプレグを構成する強化繊維ｃ、強化繊維ｃの竿軸線Ｘに対する傾斜方向、マトリックス樹脂等を第１口巻き補強パターン１２と同一に設定してもよく、或いは、異なるものに設定してもよい。
【００３４】
次に、内側層Ａａを形成する。図４（ｂ）に示すように、第２口巻き補強パターン１２の上から細幅の第１内側プリプレグテープ１７を竿軸線方向に沿って螺旋状に巻回する。螺旋状に巻回する状態は、巻回された第１内側プリプレグテープ１７の隣接する部分同士の側端が接触する密着状態である。
そして、図４（ｃ）に示すように、マンドレル６に巻回された第１内側プリプレグテープ１７の上から第２内側プリプレグテープ１８を竿軸線方向に沿って螺旋状に巻回する。螺旋状に巻回する状態は、第２内側プリプレグテープ１８の隣接する部分同士の側端が接触する密着状態である。
【００３５】
内側層Ａａは第１内側プリプレグテープ１７と第２内側プリプレグテープ１８とで構成するが、これらの巻回状態は次のようなものである。
第１内側プリプレグテープ１７と第２内側プリプレグテープ１８は、径方向視において、互いに交差する状態で巻回されており、各プリプレグテープ１７，１８の長手方向に沿って配置されている強化繊維ｃについても、径方向視で互いに交差する状態である。
交差する角度は、１０度から７５度の範囲にあればよく、望ましくは２０度から６０度である。捩じりモーメントに対する強度を確保するためである。
【００３６】
中間層Ａｂについて説明する。図５（ｄ）に示すように、第１メインパターン１５及び第２メインパターン１６をマンドレル６に巻回することによって、中間層Ａｂを構成する。第１メインパターン１５及び第２メインパターン１６は、竿軸線Ｘに沿って引き揃えた強化繊維ｃに熱硬化性樹脂を含浸させたプリプレグシートを、竿体Ｂの長さに相当する長さＬ３とマンドレル６の周長（数周長）に相当する幅Ｌ４を備えた所定の形状に裁断したものである。
【００３７】
第１メインパターン１５及び第２メインパターン１６としては、プリプレグを構成する強化繊維ｃ、マトリックス樹脂等をメインパターン１１と同一に設定してもよく、或いは、異なるものに設定してもよい。
つまり、図５（ｄ）に示すように、第１メインパターン１５及び第２メインパターン１６の強化繊維ｃの引き揃え方向を竿軸線方向に沿った状態に配設する。
このようにすると、魚が掛かって釣り竿Ａが大きく曲がった場合に、竿体の断面において竿軸線Ｘより上方側に位置する部分に大きな引っ張り力が作用するが、この引っ張り力に対して強化繊維ｃが対抗力を発揮するので、釣り竿Ａの曲がりに対する曲がり強度を高くすることができる。
したがって、両方のプリプレグシート１５、１６で釣り竿Ａの曲がりに対する強度を高めることができるので、曲げ剛性の高い釣り竿Ａを構成することができる。
【００３８】
第１メインパターン１５と第２メインパターン１６との組合わせとしては、一方のメインパターンの強化繊維ｃを竿軸線Ｘ方向に沿った配置で、かつ、他方のメインパターンの強化繊維ｃを周方向に沿った配置としてもよい。
或いは、両者の強化繊維ｃを径方向視で互いに交差する状態に形成してもよい。
【００３９】
また、捩じり剛性を向上させる点から述べてきたが、観点を変えてみると、強化繊維ｃの引張弾性率やメインパターンの重ね枚数を適宜選択することによって竿体Ｂの撓み易さを調整することが可能であると考えられる。つまり、硬い調子の竿体Ｂとするには、引張弾性率の大きな強化繊維ｃを選択したり、図示したように、第１メインパターン１５と第２メインパターン１６とを重ね合わせて使用することで対応できる。一方、軟調子の竿体Ｂとするには、引張弾性率の小さな強化繊維ｃを選択したり、第１メインパターン１５だけを巻回する構成を採ることもできる。
【００４０】
次に、外側層Ａｃを形成する。図５（ｅ）に示すように、中間層Ａｂの上から細幅の第１外側プリプレグテープ１９を竿軸線方向に沿って螺旋状に巻回する。螺旋状に巻回する状態は、巻回された第１外側プリプレグテープ１９の隣接する部分同士の側端が接触する密着状態である。
そして、図５（ｆ）に示すように、中間層Ａｂに巻回された第１外側プリプレグテープ１９の上から第２外側プリプレグテープ２０を竿軸線方向に沿って螺旋状に巻回する。螺旋状に巻回する状態は、第２外側プリプレグテープ２０の隣接する部分同士の側端が接触する密着状態である。
【００４１】
第２外側プリプレグテープ２０を巻回した後に、第２竿尻補強パターン２１を巻回する。つまり、第２竿尻補強パターン２１は上側プリプレグ２１Ａと下側プリプレグ２１Ａとを重ね合わせたバイアス式重合体である。上側プリプレグ２１Ａは、竿軸線Ｘに対して第４傾斜角θ4だけ傾斜させて引き揃えた炭素繊維等の強化繊維ｃに対してエポキシ等の熱硬化性樹脂を含浸させて形成したものである。下側プリプレグ２１Ａは、強化繊維ｃの引き揃え向きを、上側プリプレグ２１Ａの強化繊維ｃと竿軸線Ｘを挟んで対称に配置して形成したものである。
【００４２】
外側層Ａｃは第１外側プリプレグテープ１９と第２外側プリプレグテープ２０とで構成するが、これらの巻回状態は次のようなものである。
第１外側プリプレグテープ１９と第２外側プリプレグテープ２０は、径方向視において、互いに交差する状態で巻回されており、各プリプレグテープ１９，２０の長手方向に沿って配置されている強化繊維ｃについても、径方向視で互いに交差する状態で巻回されている。
交差する角度は、１０度から７５度の範囲にあればよく、望ましくは２０度から６０度である。捩じりモーメントに対する強度を確保するためである。
【００４３】
内側層Ａａの第１内側プリプレグテープ１７と第２内側プリプレグテープ１８、外側層Ａｃの第１外側プリプレグテープ１９と第２外側プリプレグテープ２０との関係について更に説明する。
前記したように内側層Ａａでは、第１内側プリプレグテープ１７と第２内側プリプレグテープ１８は、径方向視において、互いに交差する状態で巻回されており、各プリプレグテープ１７，１８の長手方向に沿って配置されている強化繊維ｃについても、径方向視で互いに交差する状態で巻回されている。
前記したように外側層Ａｃでは、第１外側プリプレグテープ１９と第２外側プリプレグテープ２０は、径方向視において、互いに交差する状態で巻回されており、各プリプレグテープ１９，２０の長手方向に沿って配置されている強化繊維ｃについても、径方向視で互いに交差する状態で巻回されている。
【００４４】
ここでは、４つのプリプレグテープ１７，１８，１９，２０の螺旋巻回方向における組み合わせについて記載する。これらの組み合わせは、竿体Ｂの所望の硬度を得るために、自由に選択することができる。
プリプレグテープ１７，１８，１９，２０を竿軸線Ｘ方向に沿って螺旋状に巻回していく状態を次のように定義する。つまり、穂先側から竿軸芯Ｘに沿った方向視で、左回りで巻回する状態を左ネジ方向と右回りで巻回する状態を右ネジ方向と表現する。
【００４５】
図４及び図５に示された巻回方向をネジ表記で表現すると、次のようになる。
（１）第１内側プリプレグテープ１７は「右ネジ方向」、第２内側プリプレグテープ１８は「左ネジ方向」、第１外側プリプレグテープ１９は「左ネジ方向」、第２外側プリプレグテープ２０は「右ネジ方向」である。
上記した以外に次のような巻回方向の組み合わせが可能である。
（２）第１内側プリプレグテープ１７は「左ネジ方向」、第２内側プリプレグテープ１８は「右ネジ方向」、第１外側プリプレグテープ１９は「右ネジ方向」、第２外側プリプレグテープ２０は「左ネジ方向」であってもよい。
（３）第１内側プリプレグテープ１７は「右ネジ方向」、第２内側プリプレグテープ１８は「左ネジ方向」、第１外側プリプレグテープ１９は「右ネジ方向」、第２外側プリプレグテープ２０は「左ネジ方向」であってもよい。
（４）第１内側プリプレグテープ１７は「左ネジ方向」、第２内側プリプレグテープ１８は「右ネジ方向」、第１外側プリプレグテープ１９は「左ネジ方向」、第２外側プリプレグテープ２０は「右ネジ方向」である。
（５）上記したようなプリプレグテープ１７〜２０の巻回方向は、釣り竿用竿体Ｂの捩じり剛性や曲げ剛性の度合い、及び、それらと関連する竿調子に必要な形態を適宜採用することができる。
【００４６】
〔第３実施形態の別実施形態〕
（１）第１口巻き補強パターン７とともに、竿尻側端の相当位置に、図示してはいないが、竿尻側補強パターンを設けてもよい。
（２）竿先端部及び竿尻端部の補強を図る必要のない場合には、第１口巻き補強パターン７とともに竿尻側補強パターンについても設けなくてもよい。
【００４７】
本発明の構成は、竿体の外周面に釣り糸ガイドを取り付けた磯竿、船竿等にも適用可能であり、釣り糸ガイドを竿体内に備える中通し竿にも適用可能である。また、振出竿だけでなく、並継竿及びインロー継竿にも適用可能である。
【符号の説明】
【００４８】
１      穂先竿  （竿体）
２      二番竿  （竿体）
３      三番竿  （竿体）
４      元上    （竿体）
５      元竿    （竿体）
８      内側プリプレグテープ
９      外側プリプレグテープ
１１    メインパターン
１３    内側プリプレグテープ
１４    外側プリプレグテープ
１５    第１メインパターン
１６    第２メインパターン
１７    第１内側プリプレグテープ
１８    第２内側プリプレグテープ
１９    第１外側プリプレグテープ
２０    第２外側プリプレグテープ
Ａ      釣り竿
Ａａ    内側層
Ａｂ    中間層
Ａｃ    外側層
Ｂ      釣り竿用竿体
【図１】
0005626747.tif 000002
【図２】
0005626747.tif 000003
【図３】
0005626747.tif 000004
【図４】
0005626747.tif 000005
【図５】
0005626747.tif 000006